(57)【要約】【課題】ＩＰ電話網を介して画像通信などのデータ通信を実行したときに、その後の通信エラーを軽減することができる、ファクシミリ装置などの通信端末装置を提供する。【解決手段】ファクシミリ装置２０の主制御部１は、画像データを記憶装置に一旦格納した後送信するメモリ送信であって、前回の通信においてＩＰ電話網を介して相手方の通信端末装置に発信して、相手方の通信端末装置との能力交換で能力が不一致とならずかつダイヤル開始から相手方の通信端末装置との接続の間に発生したダイヤルエラーではなく、通信中止が指示されてしない制御条件のときに（図２のステップＳ２でＹＥＳでかつステップＳ３−Ｓ５ですべてＮＯ）ＩＰ電話網を介してリダイヤルするように制御する（ステップＳ６，Ｓ８，Ｓ１５）。【選択図】図２
2006054585.tif 000002
【特許請求の範囲】
【請求項１】
データを記憶装置に一旦格納した後送信するメモリ送信であって、前回の通信においてＩＰ電話網を介して相手方の通信端末装置に発信して、相手方の通信端末装置との能力交換で能力が不一致とならずかつダイヤル開始から相手方の通信端末装置との接続の間に発生したダイヤルエラーではなく、通信中止が指示されてしない制御条件のときに、上記ＩＰ電話網を介してリダイヤルするように制御する制御手段を備えたことを特徴とする通信端末装置。
【請求項２】
上記制御手段は、上記ＩＰ電話網を介して所定の回数だけリダイヤルした後、上記制御条件のときに、別の電話網を介して上記相手方の通信端末装置に発信するように制御することを特徴とする請求項１記載の通信端末装置。
【請求項３】
データを記憶装置に一旦格納した後送信するメモリ送信であって、前回の通信においてＩＰ電話網を介して相手方の通信端末装置に発信して、相手方の通信端末装置との能力交換で能力が不一致とならずかつダイヤル開始から相手方の通信端末装置との接続の間に発生したダイヤルエラーではなく、通信中止が指示されてしない制御条件のときに、別の電話網を介して上記相手方の通信端末装置に発信するように制御する制御手段を備えたことを特徴とする通信端末装置。
【請求項４】
上記別の電話網は一般公衆電話網であることを特徴とする請求項２又は３記載の通信端末装置。
【請求項５】
上記制御手段は、上記別の電話網を介して上記相手方の通信端末装置に発信するときに、相手方の電話番号の前に、別の電話網を介して通信するための切替番号を付加することにより上記別の電話網に切り換えて発信することを特徴とする請求項１乃至４のうちのいずれか１つに記載の通信端末装置。
【発明の詳細な説明】
【技術分野】
【０００１】
本発明は、ＩＰ電話網と一般公衆電話網とを切り換える機能を備えた、例えばファクシミリ装置などの通信端末装置に関する。
【背景技術】
【０００２】
例えば、特許文献１においては、モデムによる回線切断処理とリダイヤルの繰り返しが防止するための以下のファクシミリ装置が開示されている。ＩＴＵ−Ｔ勧告Ｖ．３４で規定された機能によれば、モデムと被呼局のモデムとの間でＣＰＵの制御無しにトレーニングを行って、データレート決定のための独自のネゴシエーションを実行する。そのネゴシエーションが成立しないで通信エラーによる回線切断処理が行われたとき、通信管理情報蓄積用ＲＡＭがその通信管理情報を格納して保存する。その後リダイヤル処理を実行するとき、ＣＰＵは、ＩＴＵ−Ｔ勧告Ｖ．３４によるモデム独自のネゴシエーションを排除する。そして、ＣＰＵがモデムを制御するネゴシエーションを実行し、ＣＰＵ１１の判断によって、ＩＴＵ−Ｔ勧告Ｖ．１７、Ｖ．２９、Ｖ．２７ｔｅｒといった通信能力による伝送モードを選択する。
【０００３】
一般のファクシミリ装置では、画像データを画像メモリに一旦格納した後ファクシミリ送信を行う、いわゆる「メモリ送信」において通信エラーが発生した場合、以下の通信エラーの場合のみリダイヤルを実行するように制御している。
（Ａ）ポストメッセージに対して相手装置から応答信号がなく、具体的には、ＭＣＦ、ＲＴＮ、ＲＴＰ、ＰＩＰ又はＰＩＮ信号を受信できないとき。
（Ｂ）ＥＣＭ送信でない場合において、相手装置が画像データに複数のエラーラインがあるときにＲＴＮ信号を送信し、これを受信したとき。
【０００４】
【特許文献１】特開平１０−３２７３０９号公報。
【発明の開示】
【発明が解決しようとする課題】
【０００５】
しかしながら、ＩＰ電話網を介したファクシミリ通信では、ハンドシェーク中の通信エラーも多数発生している可能性があるが、従来のファクシミリ装置では、画像データをリダイヤル再送できないという問題点があった。
【０００６】
本発明の目的は以上の問題点を解決し、ＩＰ電話網を介して画像通信などのデータ通信を実行したときに、その後の通信エラーを軽減することができ、正常にファクシミリ送信する確率を増大できるファクシミリ装置などの通信端末装置を提供することにある。
【課題を解決するための手段】
【０００７】
第１の発明に係る通信端末装置は、データを記憶装置に一旦格納した後送信するメモリ送信であって、前回の通信においてＩＰ電話網を介して相手方の通信端末装置に発信して、相手方の通信端末装置との能力交換で能力が不一致とならずかつダイヤル開始から相手方の通信端末装置との接続の間に発生したダイヤルエラーではなく、通信中止が指示されてしない制御条件のときに、上記ＩＰ電話網を介してリダイヤルするように制御する制御手段を備えたことを特徴とする。
【０００８】
上記通信端末装置において、上記制御手段は、上記ＩＰ電話網を介して所定の回数だけリダイヤルした後、上記制御条件のときに、別の電話網を介して上記相手方の通信端末装置に発信するように制御することを特徴とする。
【０００９】
第２の発明に係る通信端末装置は、データを記憶装置に一旦格納した後送信するメモリ送信であって、前回の通信においてＩＰ電話網を介して相手方の通信端末装置に発信して、相手方の通信端末装置との能力交換で能力が不一致とならずかつダイヤル開始から相手方の通信端末装置との接続の間に発生したダイヤルエラーではなく、通信中止が指示されてしない制御条件のときに、別の電話網を介して上記相手方の通信端末装置に発信するように制御する制御手段を備えたことを特徴とする。
【００１０】
上記通信端末装置において、上記別の電話網は一般公衆電話網であることを特徴とする。
【００１１】
また、上記通信端末装置において、上記制御手段は、上記別の電話網を介して上記相手方の通信端末装置に発信するときに、相手方の電話番号の前に、別の電話網を介して通信するための切替番号を付加することにより上記別の電話網に切り換えて発信することを特徴とする。
【発明の効果】
【００１２】
本発明に係る通信端末装置によれば、ＩＰ電話網を介した通信では、ハンドシェーク中の通信エラーも多いが、本発明に係る上記制御処理を行うことにより、従来は終了（リダイヤル再送無し）していた通信エラーについてもリダイヤル再送され、それによって正常送信される確率を増大できる。これにより、通信エラーを軽減することができ、これにより、全体の通信時間を削減してその通信量を軽減できる。
【発明を実施するための最良の形態】
【００１３】
以下、図面を参照して本発明に係る実施形態について説明する。
【００１４】
＜実施形態＞
図１は、本発明に係る実施形態である、ＩＰ電話網と一般公衆電話網とを切り換える機能を有するファクシミリ装置２０の構成を示すブロック図である。
【００１５】
この実施形態のファクシミリ装置２０の主制御部１は、画像データを記憶装置に一旦格納した後送信するメモリ送信であって、前回の通信においてＩＰ電話網を介して相手方の通信端末装置に発信して、相手方の通信端末装置との能力交換で能力が不一致とならずかつダイヤル開始から相手方の通信端末装置との接続の間に発生したダイヤルエラーではなく、通信中止が指示されてしない制御条件（以下、制御条件という。）のときに（図２のステップＳ２でＹＥＳでかつステップＳ３−Ｓ５ですべてＮＯ）、ＩＰ電話網を介してリダイヤルするように制御する（ステップＳ６，Ｓ８，Ｓ１５）ことを特徴としている。
【００１６】
図１において、ファクシミリ装置２０は、従来のＧ３方式等のファクシミリ通信機能を備えるとともに、ＩＰ電話網と一般公衆電話網とを切り換える機能を備えている。主制御部１は具体的にはＣＰＵで構成されており、バス１３を介して以下のハードウェア各部と接続されていてそれらを制御するほか、後述する種々のソフトウェアの機能を実行する。画像読取部２は、ＣＣＤ等を利用したスキャナで原稿を読み取り、白黒２値に変換したドットイメージデータを出力する。画像記録部３は電子写真方式等のプリンタ装置であり、他のファクシミリ装置からファクシミリ通信により受信したイメージデータをハードコピーとしてプリントアウトして記録する。表示部４は、液晶表示装置（ＬＣＤ）又はＣＲＴディスプレイ等の表示装置であり、当該ファクシミリ装置２０の動作状態を表示したり、送信すべき原稿のイメージデータ、及び受信したイメージデータの表示を行う。
【００１７】
操作部５は、当該ファクシミリ装置２０を操作するために必要な文字キー、ダイヤル用テンキー、短縮ダイヤルキー、ワンタッチダイヤルキー、及び各種のファンクションキー等を備える。なお、上述の表示部４をタッチパネル方式とすることにより、この操作部５の各種キーの内の一部又は全部を代用するように構成してもよい。
【００１８】
ＲＯＭ６は、当該ファクシミリ装置２０の動作に必要であって主制御部１によって実行される種々のソフトウェアのプログラムを予め格納し、ここで、当該プログラムは、少なくとも図２及び図３の発信処理のプログラムを含む。ＲＡＭ７は、ＳＲＡＭ又はフラッシュメモリ等で構成され、主制御部１のワーキングエリアとして使用されてプログラムの実行時に発生する一時的なデータを記憶する。なお、ＲＡＭ７としてフラッシュメモリを使用した場合には、停電、装置の移動等のために電源が遮断された場合にもそのデータの内容が失われない。画像メモリ８はＤＲＡＭ等で構成され、送信すべきイメージデータ又は受信したイメージデータを記憶する。なお、ＲＡＭ７及び画像メモリ８をハードディスクメモリで構成してもよい。
【００１９】
ファックスモデム１０は、公衆電話回線Ｌに接続され、通常のファクシミリ通信用のファックスモデムの機能を有するモデムであり、ＦＳＫ信号として受信される発信電話番号情報のデータを復調して主制御部１に出力する。ＮＣＵ（ネットワーク制御回路：Network Control Unit）１１はアナログの公衆電話回線Ｌの直流ループなどの閉結及び開放の動作を行いかつ自動ダイヤル機能を有するハードウェア回路であり、必要に応じてファックスモデム１０を公衆電話回線Ｌに接続する。ここで、ＮＣＵ１１は、発信電話番号通知サービスにおけるＩＤ受信端末起動信号、通常の電話呼出信号の検出を行うとともに、必要に応じて発信電話番号通知サービスにおける１次応答信号及び２次応答信号を発信することができる。なお、ＮＣＵ１１を所定のターミナルアダプタ及びＤＳＵ（加入者線終端装置：Digital Service Unit）を介して、ベースバンド伝送方式のデジタル回線（例えば、ＩＳＤＮ回線）に接続するようにしてもよい。
【００２０】
以上のように構成された本実施形態のファクシミリ装置２０は、通常のＧ３方式等のファクシミリ通信機能に加えて、ＩＰ電話網と一般公衆電話網とを切り換える機能を有している。ファクシミリ通信機能において、画像読取部２により読み取られたドットイメージデータはファクシミリ通信の規格で定められているＭＨ，ＭＲ，ＭＭＲ等の符号化方式に従ってソフトウェアにより符号化された後、相手先のファクシミリ装置に送信される一方、逆に相手先のファクシミリ装置から受信した符号化データもソフトウェアによりイメージデータに復号化されて画像記録部３からハードコピーとして出力される。なお、画像メモリ８はイメージデータを必要に応じて記憶し、また逆に記憶しているイメージデータを必要に応じて出力する。
【００２１】
図２及び図３は図１のファクシミリ装置２０の主制御部１によって実行される、実施形態に係る発信処理を示すフローチャートである。
【００２２】
図２のステップＳ１において発呼したか否かが判断され、ＹＥＳのときはステップＳ２に進む一方、ＮＯのときはステップＳ１に戻る。ステップＳ２において、画像データを画像メモリ８に一旦格納した後送信するメモリ送信であるか否かを判断し、ＹＥＳのときはステップＳ３に進む一方、ＮＯのときは図３のステップＳ７に進む。次いで、ステップＳ３では、同一のジョブで前回通信が、相手方の通信端末装置との能力交換で能力が不一致である能力不一致エラーであるか否かが判断され、ＹＥＳのときは図３のステップＳ７に進む一方、ＮＯのときはステップＳ４に進む。さらに、ステップＳ４で、同一のジョブで前回通信が、ダイヤルエラーであるか否か判断され、ＹＥＳのときは図３のステップＳ７に進む一方、ＮＯのときはステップＳ５に進む。ここで、ダイヤルエラーとは、ダイヤル開始から相手方のファクシミリ装置との接続の間に発生したエラーであって、例えば相手方の話中、回線接続の失敗、相手方がファクシミリ装置でないなどの理由によるエラーである。
【００２３】
さらに、ステップＳ５では、通信中止のためにストップキーをオンしたか否かが判断され、ＹＥＳのときは図３のステップＳ７に進む一方、ＮＯのときはステップＳ６に進む。ステップＳ６では、「００００」付加モードをセットした後、図３のステップＳ７に進む。
【００２４】
次いで、ステップＳ７において「００００」付加モードであるか否かが判断され、ＹＥＳのときはステップＳ８に進む一方、ＮＯのときはステップＳ９に進む。ステップＳ８では、「００００」（一般公衆電話網を介して通信するための切替番号）をダイヤルした後、相手方の電話番号をダイヤルし、ステップＳ１０に進む。また、ステップＳ９では、相手方の電話番号をダイヤルし、ステップＳ１０に進む。そして、ステップＳ１０において「００００」を送出したか否かが判断され、ＹＥＳのときはステップＳ１５に進む一方、ＮＯのときはステップＳ１１に進む。ステップＳ１１において１０秒タイマーをスタートさせ、次いで、ステップＳ１２においてＩＰ電話の呼出音を検出したか否かが判断され、ＹＥＳのときはステップＳ１３に進む一方、ＮＯのときはステップＳ１４に進む。ここで、相手方の電話番号をダイヤルした後所定の時間内に発信端末に送出されるＩＰ電話の呼出音とは、例えば「ププ」というＩＰ電話網への接続を示す音である。なお、ＩＰ電話網ではなく、一般電話網への接続のときは、このＩＰ電話の呼出音が無い場合、もしくは別の「ププププ」などの呼出音を送出する場合がある。
【００２５】
ステップＳ１３において、ＩＰ電話の呼出音検出フラグをセットした後、ステップＳ１５に進む。一方、ステップＳ１４において上記１０秒タイマーがタイムオーバーしたか否かが判断され、ＹＥＳのときはステップＳ１５に進む一方、ＮＯのときはステップＳ１２に戻る。ステップＳ１５においてファクシミリ送信処理を実行した後、ステップＳ１６において回線開放し、図２のステップＳ１に戻る。
【００２６】
以上説明したように、本実施形態によれば、主制御部１は、画像データを記憶装置に一旦格納した後送信するメモリ送信であって、前回の通信においてＩＰ電話網を介して相手方の通信端末装置に発信して、相手方の通信端末装置との能力交換で能力が不一致とならずかつダイヤル開始から相手方の通信端末装置との接続の間に発生したダイヤルエラーではなく、通信中止が指示されていない制御条件のときに（図２のステップＳ２でＹＥＳでかつステップＳ３−Ｓ５ですべてＮＯ）、上記ＩＰ電話網を介してリダイヤルするように制御する（ステップＳ６，Ｓ８，Ｓ１５）。従って、ＩＰ電話網を介した通信では、ハンドシェーク中の通信エラーも多いが、本実施形態に係る上記制御処理を行うことにより、従来は終了（リダイヤル再送無し）していた通信エラーについてもリダイヤル再送され、それによって正常送信される確率を増大できる。これにより、通信エラーを軽減することができ、これにより、全体の通信時間を削減してその通信量を軽減できる。
【００２７】
＜変形例＞
以上の実施形態においては、上記制御条件のときに、上記ＩＰ電話網を介してリダイヤルするように制御（ステップＳ６，Ｓ８，Ｓ１５）しているが、この場合において、ＩＰ電話網を介して所定の回数（１回以上の予め決められた回数である。）だけリダイヤルした後、上記制御条件のときに、公衆電話網などの別の電話網を介して相手方のファクシミリ装置に発信するように制御してもよい。また、上記制御条件のときに、公衆電話網などの別の電話網を介して相手方のファクシミリ装置に発信するように制御してもよい。
【００２８】
以上の実施形態においては、ファクシミリ装置２０の例について述べているが、本発明はこれに限らず、ＩＰ電話網、公衆電話網又は公衆デジタル回線網などの公衆網に接続された、例えば、画像データ、音声データ、情報データなどの種々のデータを送受信するデータ通信装置などを含む通信端末装置に適用することができる。
【００２９】
以上の実施形態においては、別の電話網として、一般公衆電話網を使用しているが、本発明はこれに限らず、専用線又はインターネットなどの他の通信網を用いてもよい。
【００３０】
以上の実施形態においては、一般公衆電話網を介して通信するための切替番号として「００００」を使用しているが、本発明はこれに限らず、当該切替番号である他の番号を使用してもよい。
【図面の簡単な説明】
【００３１】
【図１】本発明に係る実施形態である、ＩＰ電話網と一般公衆電話網とを切り換える機能を有するファクシミリ装置２０の構成を示すブロック図である。
【図２】図１のファクシミリ装置２０の主制御部１によって実行される、実施形態に係る発信処理の第１の部分を示すフローチャートである。
【図３】図１のファクシミリ装置２０の主制御部１によって実行される、実施形態に係る発信処理の第２の部分を示すフローチャートである。
【符号の説明】
【００３２】
１…主制御部、
２…画像読取部、
３…画像記録部、
４…表示部、
５…操作部、
６…ＲＯＭ、
７…ＲＡＭ、
８…画像メモリ、
１０…ファックスモデム、
１１…ＮＣＵ、
１３…バス、
２０…ファクシミリ装置、
Ｌ…公衆電話回線。
【図１】
2006054585.tif 000003
【図２】
2006054585.tif 000004
【図３】
2006054585.tif 000005